(57)【要約】【課題】天井面の汚れを低減する送風装置及びこの送風装置を備えた居室を提供する。【解決手段】ケーシング１１ｂは、天面側開口部１１ｂ１が送風装置本体３の天面部３ａの下面に対向し、側面側開口部１１ｂ２が空気吐出口９に対向するように、送風装置本体３の底面部３ｂの上面に設けられ、送風装置本体３の天面部３ａの下面とケーシング１１ｂの上面との間には、隙間が形成され、モータ１１ｃで羽根１１ａが駆動されると、空気は、空気取入口８から送風装置本体３の内部に取り入れられ、隙間、天面側開口部１１ｂ１、側面側開口部１１ｂ２を順に通って、空気吐出口９から送風装置本体３の外部に吹き出される。【選択図】図５
2014185590.tif 000002
【特許請求の範囲】
【請求項１】
送風装置本体と、
羽根及びモータを収容したケーシングを有し、前記送風装置本体の内部に設けられる輻流型の送風手段と、を備え、
前記送風装置本体の側面には空気取入口及び空気吐出口が形成され、
前記ケーシングには、該ケーシングの内部に空気を取り入れる天面側開口部及び該ケーシングの内部から空気を吐き出す側面側開口部が形成され、
前記ケーシングは、前記天面側開口部が前記送風装置本体の天面部の下面に対向し、前記側面側開口部が前記空気吐出口に対向するように、前記送風装置本体の底面部の上面に設けられ、前記送風装置本体の天面部の下面と前記ケーシングの上面との間には、隙間が形成され、
前記モータで前記羽根が駆動されると、空気は、前記空気取入口から前記送風装置本体の内部に取り入れられ、前記隙間、前記天面側開口部、前記側面側開口部を順に通って、前記空気吐出口から前記送風装置本体の外部に吹き出される
ことを特徴とする送風装置。
【請求項２】
前記送風装置本体の側面の展開面積は、前記送風装置本体の天面部の投影面積及び前記送風装置本体の底面部の投影面積よりも小さい
ことを特徴とする請求項１記載の送風装置。
【請求項３】
前記送風手段を構成する各構成部品は、
前記各構成部品の取付面が前記送風装置本体の底面部の上面と対向するように、前記送風装置本体の底面部の上面に取り付けられる
ことを特徴とする請求項１又は請求項２記載の送風装置。
【請求項４】
前記送風装置本体の底面部の下面は、照明器が取り付けられる面である
ことを特徴とする請求項１〜請求項３の何れか一項に記載の送風装置。
【請求項５】
前記送風手段は複数設けられ、
前記複数の送風手段は、一又は複数台ずつ複数の送風単位に分けられ、前記送風単位毎に運転及び停止が切替可能である
ことを特徴とする請求項１〜請求項４の何れか一項に記載の送風装置。
【請求項６】
請求項１〜請求項５の何れか一項に記載の送風装置を備えた
ことを特徴とする居室。
【発明の詳細な説明】
【技術分野】
【０００１】
本発明は、送風装置及びこの送風装置を備えた居室に関する。
【背景技術】
【０００２】
従来、室内の温度分布の均一化と汚染物質の滞留防止とを目的とした、多数の天井設置型の送風装置が提案されている。具体的には、送風装置を照明器と一体型又は連結型としたものであり、照明器は室内のほぼ中央に配置されるものがある。
【０００３】
このような送風装置として例えば、天井面に設けられた引掛けシーリングに取り付けられ、下面に照明器を連結可能な循環送風機が提案されている（例えば、特許文献１参照）。循環送風機の外面のうちで露出する本体側面には、循環送風機本体の内部に空気を吸い込む吸込口と、循環送風機本体の内部の空気が吹き出される吹出口とが形成されている。
【先行技術文献】
【特許文献】
【０００４】
【特許文献１】特開２００２−１３０１８６号公報（［００４１］〜［００４５］、図１）
【発明の概要】
【発明が解決しようとする課題】
【０００５】
しかしながら、特許文献１に記載された循環送風機においては、吸込口から循環送風機本体の内部に吸い込まれる空気が、遠心ファンの下方から遠心ファンの内部に流入し、遠心ファンの側方から吹出口に向かって吹き出される。このため、吹出口から吹き出される空気に含まれる塵埃が、特に吹出口の付近における天井に付着して汚れるおそれがあった。
【０００６】
本発明は、上述のような課題を背景としてされたものであり、天井面の汚れを低減する送風装置及びこの送風装置を備えた居室を提供することを目的とする。
【課題を解決するための手段】
【０００７】
本発明に係る送風装置は、送風装置本体と、羽根及びモータを収容したケーシングを有し、前記送風装置本体の内部に設けられる輻流型の送風手段と、を備え、前記送風装置本体の側面には空気取入口及び空気吐出口が形成され、前記ケーシングには、該ケーシングの内部に空気を取り入れる天面側開口部及び該ケーシングの内部から空気を吐き出す側面側開口部が形成され、前記ケーシングは、前記天面側開口部が前記送風装置本体の天面部の下面に対向し、前記側面側開口部が前記空気吐出口に対向するように、前記送風装置本体の底面部の上面に設けられ、前記送風装置本体の天面部の下面と前記ケーシングの上面との間には、隙間が形成され、前記モータで前記羽根が駆動されると、空気は、前記空気取入口から前記送風装置本体の内部に取り入れられ、前記隙間、前記天面側開口部、前記側面側開口部を順に通って、前記空気吐出口から前記送風装置本体の外部に吹き出される。
【０００８】
本発明に係る居室は、本発明の送風装置を備えたものである。
【発明の効果】
【０００９】
本発明によれば、モータで羽根が駆動されると、空気は、空気取入口から送風装置本体の内部に取り入れられ、送風装置本体の天面部の下面とケーシングの上面との間に形成される隙間、天面側開口部、側面側開口部を順に通って、空気吐出口から送風装置本体の外部に吹き出される。したがって、空気が、従来よりも天井面から遠ざかるように空気吐出口から吹き出されるため、特に空気吐出口の付近における天井面の汚れを低減することができる。
【図面の簡単な説明】
【００１０】
【図１】本発明の実施の形態１に係る送風装置１が設置された居室の側面概要図である。
【図２】本発明の実施の形態１に係る送風装置１が設置された居室の平面概要図である。
【図３】本発明の実施の形態１に係る送風装置１の分解斜視図である。
【図４】本発明の実施の形態１に係る送風装置１の横断面図である。
【図５】本発明の実施の形態１に係る送風装置１の縦断面図である。
【図６】図３の空気清浄ユニット２０の斜視図である。
【図７】図６の空気清浄ユニット２０の平行取り出しを説明する分解斜視図である。
【図８】図６の空気清浄ユニット２０の回転取り出しを説明する斜視図である。
【図９】図６の空気清浄ユニット２０の分解斜視図である。
【図１０】図９の曲面状外枠２２に空気清浄手段２４が装着された状態を示す斜視図である。
【図１１】図９の曲面状外枠２２から空気清浄手段２４を取り外した状態を示す分解斜視図である。
【図１２】図９の除菌手段２５を示す斜視図である。
【図１３】図９の除菌手段２５の分解斜視図である。
【図１４】図９のオゾンＶＯＣ除去手段２６の取り付け状態の説明図である。
【図１５】図１４の分解斜視図である。
【発明を実施するための形態】
【００１１】
本発明の実施の形態１に係る送風装置１、及び居室１００を図面に基づいて詳細に説明する。なお、本実施の形態１により本発明が限定されるものではない。
【００１２】
実施の形態１．
図１は、本発明の実施の形態１に係る送風装置１が設置された居室１００の側面概要図である。図２は、本発明の実施の形態１に係る送風装置１が設置された居室１００の平面概要図である。図１、図２及び後述の図において、同一の符号を付したものは、同一の又はこれに相当するものであり、これは明細書の全文において共通している。
【００１３】
図１、図２に示されるように、居室１００は、屋外１０５と、建物の水周り等の他室１０６との間に設けられた空間である。居室１００と屋外１０５とは、例えば一枚の板を介して仕切られており、居室１００と他室１０６との関係も同様である。本実施の形態１では例えば、居室１００の外壁は、居室１００の天面部を構成する天井面１０１、居室１００の屋外１０５側の側面部の一部を構成する窓面１０４、居室１００の側面部の一部を構成する壁面１０８、及び居室１００の底面部を構成する床面１０９で構成されている。
【００１４】
図１、図２に示されるように、例えば天井面１０１の略中央部には、居室１００内の空気を循環させる送風装置１が設けられている。送風装置１の下面には、居室１００内の照明を行う照明器４０が設置されている。
【００１５】
居室１００や他室１０６を有する建物には全般換気設備（図示せず）が設けられている。居室１００の屋外１０５側の壁面１０８には、全般換気に供する給気口１０２が形成され、屋外１０５と連通している。居室１００の他室１０６側の壁面１０８には、全般換気に供する排気口１０３が形成され、他室１０６と連通している。
【００１６】
居室１００と他室１０６とに連通して設置された全般換気設備により、屋外１０５から全般換気設備に至る空気の流通経路に圧力差を生じさせている。これにより、屋外１０５の空気は、給気口１０２を通って、居室１００内に流入し、排気口１０３を通って他室１０６に排出される。送風装置１は、本体周辺の室内空気を窓面１０４の方向へ吐出し、循環送風を行う。本実施の形態１に係る送風装置１は、室内の空気から汚染物質を除いて循環させ、全般換気と合わせて、有効換気換算量を確保して、建物内の適切な室内環境を維持する。
【００１７】
図３は、本発明の実施の形態１に係る送風装置１の分解斜視図である。図４は、本発明の実施の形態１に係る送風装置１の横断面図である。図５は、本発明の実施の形態１に係る送風装置１の縦断面図である。
【００１８】
（概略）
図３、図４に示されるように、送風装置１は、送風装置１の外郭を形成する円柱状の送風装置本体３と、送風手段１１と、風向調節手段１３と、空気清浄ユニット２０と、電源ユニット３０とを備えている。送風装置１の下側には照明器４０が設けられている。送風装置１は、例えば天井面１０１（図１）に固着される取付手段５０を介して天井面１０１に設置され、シーリングローゼット６０を介して給電される。
【００１９】
送風装置本体３は、上下両端部が開口した略円筒状の本体枠５と、本体枠５の略中心部に設けられ、上下両端部が開口した略円筒状の内筒７とを有する。また、送風装置本体３は、外周面を構成する本体側面３ｃと、天面を構成する円板状の天面部３ａと、及び底面を構成する円板状の底面部３ｂとを有する。天面部３ａには、取付穴（ここでは引掛け穴とする）３ａ１が形成されている。送風装置本体３は、取付穴３ａ１に取付手段５０の取付金具５０ａが係合し、天面部３ａが天井又は壁等の設置面と対向するように設置面に取り付けられる。なお、天面部３ａ及び底面部３ｂの外周形状が円形である例について説明したが、多角形であってもよい。
【００２０】
天面部３ａは、送風装置１及び照明器４０の重量を支える必要があり、強度を確保するため、板金で形成されることが望ましい。送風装置本体３（天面部３ａを除く）は、重量及び成形性の観点から樹脂材料で形成されることが望ましい。
【００２１】
送風装置１は、施工上の利便性を考慮して、天井面１０１と照明器４０との間に設置される。また、送風装置１はデザイン上目立ちにくくするため、送風装置１が天井面１０１と照明器４０との間に設置された状態で、居室１００の照明器４０の真下から天井面１０１を見たとき、送風装置１は円形の照明器４０に隠れて視認できない構造となっている。また、天井面１０１から床面１０９側になるべく突出しない構造となっている。このような構造上の制約から、送風装置本体３は、高さの低い円柱形を採用している。送風装置１は、天面部３ａが天井面１０１に接し、下方側の底面部３ｂには照明器４０が接するようにして、天井面１０１と照明器４０との間に設置される。
【００２２】
なお、「高さの低い円柱形」とは、本体側面３ｃの展開面積が、天面部３ａの天井面１０１への投影面積及び底面部３ｂの天井面１０１への投影面積よりも小さい送風装置１の形状を指す。ここで、円柱の直径をｄ、高さをｈとすると、天面部３ａ及び底面部３ｂの投影面積はそれぞれπｄ２／４であり、本体側面３ｃの展開面積はπｄｈである。このため、「高さの低い円柱形」とはｈ＜ｄ／４の場合となる。本実施の形態１では、天面部３ａの直径は、一般的な居間用のシーリングライトと同等とすることで照明器４０に隠れるようにしている。ｈ＜ｄ／４を満たすために、直径ｄは例えば約６００ｍｍであり、高さｈは例えば８０ｍｍとなる。
【００２３】
（吸込みと吐出し）
本体枠５の本体側面３ｃには、送風装置本体３外部の空気を送風装置本体３内部に取り入れる空気取入口８が形成されている。空気取入口８は、本体側面３ｃのほぼ半分の面積を占めるように形成されている。また、本体側面３ｃには、送風装置本体３内部の空気を送風装置本体３外部に吐出する空気吐出口９が形成されている。
【００２４】
空気取入口８及び空気吐出口９は、送風装置本体３の中心を基準として相対して形成されている。空気取入口８及び空気吐出口９が形成されることで、居室１００（図１）と送風装置本体３内部とが連通する。以下、空気取入口８と空気吐出口９とを結ぶ送風装置本体３内の風路を内部風路１０と称する。
【００２５】
（ボディ）
内筒７内には、電源ユニット３０が配設されており、天面部３ａにおいて内筒７と対向して設けられた開口を介して送風装置本体３外から電源ユニット３０に給電されるようになっている。
【００２６】
（電源ユニット）
電源ユニット３０は、受電手段３０ａと、取付給電手段３０ｂと、本体給電手段３０ｃと、ユニット本体３０ｄとを備えており、これらが一体となってユニット化されている。受電手段３０ａは、ユニット本体３０ｄの上面に設けられ、天井面１０１に配電設置されたシーリングローゼット６０に接続されて給電される。取付給電手段３０ｂは受電手段３０ａからの電力を照明器４０（図１）側へ給電するものであり、ユニット本体３０ｄの下面に設けられている。
【００２７】
ユニット本体３０ｄには、取付給電手段３０ｂの下方に、照明器４０を構成する一要素である照明部材４０ａが取り付けられており、この照明部材４０ａに取付給電手段３０ｂが接続され、受電手段３０ａからの電力が照明器４０（図１）側へ給電される。本体給電手段３０ｃは電源ユニット３０から突出した配線を送風装置本体３の端子台（図示せず）に接続し、受電手段３０ａからの電力を後述の送風手段１１へ給電するものである。このようにして、送風装置１及び照明器４０への給電が行われる。
【００２８】
（送風手段）
送風装置１は、送風装置本体３の内部に複数（ここでは２つ）の送風手段１１を備えている。送風手段１１は、羽根１１ａ、ケーシング１１ｂ、及びモータシャフト１１ｃ１を有するモータ１１ｃを備えている。送風手段１１は、空気吐出口９から送風装置本体３の外部に空気を送出するものであり、本実施の形態１では、輻流型の送風機である。複数の送風手段１１は、一台毎又は複数台毎に、運転及び停止を切り替えることができるようになっている。以下、送風手段１１の運転及び停止を切り替える一台又は複数台の単位を送風単位という。
【００２９】
送風手段１１は、送風装置本体３の厚み方向（図３の上下方向）にモータ１１ｃの回転軸が延びるように送風装置本体３内に設置される。モータ１１ｃの回転軸を送風装置本体３の厚み方向と直交する方向とすると、送風装置本体３の厚み寸法を羽根１１ａの外径寸法以下にできず、薄型化が困難である。よって、送風装置本体３の厚み方向（図３の上下方向）にモータ１１ｃの回転軸が延びるように送風手段１１を配置することで、送風装置本体３の薄型化を可能としている。なお、本発明は、必ずしも送風装置本体３の厚み方向（図３の上下方向）にモータ１１ｃの回転軸が延びるように送風手段１１を配置することに限定されるものではない。
【００３０】
図５に示されるように、ケーシング１１ｂには、送風装置本体３の内部に流入した空気をケーシング１１ｂの内部に取り入れるための天面側開口部１１ｂ１と、ケーシング１１ｂの内部に取り入れられた空気をケーシング１１ｂの外部に吐出するための側面側開口部１１ｂ２とが形成されている。
【００３１】
ケーシング１１ｂの外面には、フランジ状に形成され、ネジの挿通孔が形成されたケーシング取付部１１ｂ３が設けられている。ケーシング取付部１１ｂ３は、ケーシング１１ｂの外周に所定の間隔を置いて複数設けられている（図４）。図５に示されるように、送風装置本体３の底面部３ｂの上面には、上方に突出する筒状のネジボス３ｆｂが複数設けられている。ネジボス３ｆｂは、ケーシング１１ｂを底面部３ｂに取り付けるための部材であり、ネジ孔（図示省略）が形成され、上端が開口している。ケーシング取付部１１ｂ３は、このネジボス３ｆｂにネジ１６を介して取り付けられる。
【００３２】
また、モータ１１ｃの外面には、フランジ状に形成され、ネジの挿通孔が形成されたモータ取付部１１ｃ３が設けられている。モータ取付部１１ｃ３は、モータ１１ｃの外周に設けられている（図５）。図５に示されるように、送風装置本体３の底面部３ｂの上面には、上方に突出する筒状のネジボス３ｆｃが設けられている。ネジボス３ｆｃは、モータ１１ｃを底面部３ｂに取り付けるための部材であり、ネジ孔（図示省略）が形成され、上端が開口している。モータ取付部１１ｃ３は、このネジボス３ｆｃにネジ１６を介して取り付けられる。なお、ネジボス３ｆｂ、３ｆｃが、本発明における「取付手段」に相当する。
【００３３】
図５を用いて、送風手段１１の送風装置本体３への固定手順を説明する。なお、送風手段１１の構成部品である羽根１１ａ、ケーシング１１ｂ、及びモータ１１ｃは全て送風装置本体３の天面部３ａ側から、底面部３ｂに向かって取り付けられる。このとき、上述した各構成部品の取付面が送風装置本体３の底面部の上面と対向するように、送風装置本体３の底面部３ｂの上面に取り付けられる。
【００３４】
まず、使用者は、モータシャフト１１ｃ１の先端を底面部３ｂに対して垂直上向きとし、モータ取付部１１ｃ３の穴とネジボス３ｆｃ（図５）の穴とを一致させた状態で、モータ１１ｃを底面部３ｂの上面に配置する。このようにモータ１１ｃが配置された状態で、使用者は、ネジ１６を、モータ取付部１１ｃ３の穴、底面部３ｂから上方に突出したネジボス３ｆｃ（図５）の順に挿通する。こうして、モータ１１ｃは底面部３ｂの上面に取り付けられる。
【００３５】
次に、使用者は、羽根１１ａの軸穴にモータシャフト１１ｃ１を挿通して、底面部３ｂの上面に羽根１１ａを配置する。
【００３６】
そして、使用者は、天面側開口部１１ｂ１を送風装置本体３の天面部３ａの下面に対向させ、側面側開口部１１ｂ２を空気吐出口９に対向させ、ケーシング取付部１１ｂ３の穴とネジボス３ｆｂの穴とを一致させた状態で、ケーシング１１ｂを底面部３ｂの上面に配置する。このようにケーシング１１ｂが配置された状態で、使用者は、ネジ１６を、ケーシング取付部１１ｂ３の穴、底面部３ｂから上方に突出したネジボス３ｆｂの順に挿通する。こうして、ケーシング１１ｂは底面部３ｂの上面に取り付けられる。
【００３７】
なお、ケーシング１１ｂ及びモータ１１ｃを送風装置本体３の上面に取り付けるための部材は、上述したネジボス３ｆｂ、３ｆｃであることに限定されない。すなわち、送風装置本体３の上面に設けられ、ネジ１６と螺合する部材であれば、ネジボス３ｆｂ、３ｆｃのように、上端が開口した筒状の部材でなくともよい。
【００３８】
ここで、ケーシング１１ｂの高さは送風装置本体３の高さよりも小さくなっている。このため、ケーシング１１ｂが底面部３ｂの上面に取り付けられた状態で、ケーシング１１ｂと天面部３ａとの間に隙間が形成される。この隙間は、例えば２０〜４０ｍｍ程度である。
【００３９】
なお、本実施の形態では複数の送風手段１１を備えているが、各送風手段１１の羽根１１ａ及びケーシング１１ｂは、それぞれ同一の部品で構成することができる。また、１つのケーシング取付部１１ｂ３についてネジボス３ｆｂを１つ設けるのではなく、図４に示されるように、１つのケーシング取付部１１ｂ３に対してネジボス３ｆｂを複数設けておくとよい。このように構成すれば、ケーシング１１ｂの底面部３ｂに対する取付位置を、空気吐出方向に合わせて調整することができるため、空気吐出方向の微調整が可能となる。
【００４０】
上述したように、送風装置本体３（天面部３ａを除く）を樹脂材料で構成すれば、ネジボス３ｆｂ，３ｆｃ等の送風装置１の取付手段を送風装置本体３に容易に形成できる。このため、部品点数を減らすことができる。また、送風装置本体３にネジボス３ｆｂ，３ｆｃ等の送風装置１の取付手段を形成すると、各部品を送風装置本体３に集約させることができる。このため、部品点数を削減することができる。また、ネジボス３ｆｂ，３ｆｃは、送風装置本体３の底面部３ｂから天面部３ａに向かって突出するように設けられる。
このため、送風装置１の構成部品（例えば、送風手段１１のような送風装置１の内蔵物）を送風装置本体３に固定するとき、その全てを一方向から取り付けることができる。したがって、送風装置１の組立を容易にすることができるため、製造工程を簡素化できる。また、送風装置１は、送風装置本体３を軽量化することができるため、比較的柔構造の天井面１０１等に直接取り付けることができる。
【００４１】
（風向調節手段）
風向調節手段１３は空気の吐出方向を調節する、いわゆるルーバーである。風向調節手段１３は、例えば平板で構成され、その平板面が略水平方向に向くようにして設けられている。なお、風向調節手段１３は、手動あるいは自動で、空気の吐出方向を、略水平方向よりも下方に向くように調節可能なものであってもよい。
【００４２】
（空気清浄ユニット）
図６は、図３の空気清浄ユニット２０の斜視図である。
空気清浄ユニット２０は、送風装置本体３内に別体で設けられ、空気取入口８から吸い込まれた空気を清浄化するものである。本実施の形態では、空気清浄ユニット２０が２つ設けられている。なお、空気清浄ユニット２０の数は２つに限定するものではない。
【００４３】
空気清浄ユニット２０には、後述するが、定期的なメンテナンスが必要な部材が設けられている。このため、本実施の形態１では、空気清浄ユニット２０のメンテナンスを容易に行える構造を採用している。以下、この構造についてまず説明し、その後、空気清浄ユニット２０に備えられた各浄化手段について順次説明する。なお、本実施の形態１では、空気清浄ユニット２０のメンテナンスを容易に行える構造として、空気清浄ユニット２０を送風装置本体３から天井又は壁等の設置面と平行な方向に取り出し自在の構造としており、以下、具体的な構造例として、２例説明する。
【００４４】
（構造例１）
図７は、図６の空気清浄ユニット２０の平行取り出しを説明する分解斜視図である。
図７に示すように、空気清浄ユニット２０は、送風装置本体３に対して着脱自在に装着可能となっている。また、底面部３ｂ側に照明器４０（図３）が取り付けられたままでも空気清浄ユニット２０を送風装置本体３から着脱できるように、空気清浄ユニット２０を天井又は壁等の設置面と平行な方向に取り出すことができるようになっている。
【００４５】
また、空気清浄ユニット２０には、送風装置本体３に設けられた突起３ｄが嵌合する嵌合穴２１ｅが設けられている。空気清浄ユニット２０が送風装置本体３に収納されている状態では、送風装置本体３の突起３ｄが空気清浄ユニット２０の嵌合穴２１ｅに嵌って送風装置本体３と空気清浄ユニット２０とが固定されている。このため、送風装置本体３に振動等が発生しても、空気清浄ユニット２０が送風装置本体３の側面方向に飛び出すことが無いようになっている。この突起３ｄ及び嵌合穴２１ｅにより本発明の係合手段が構成されている。なお、係合手段の構造及び配置位置は図７に記載のものに限定するものではなく、空気清浄ユニット２０が送風装置本体３に収納された状態で互いに係合して固定できるように構成されていればよい。
【００４６】
また、空気清浄ユニット２０には、空気清浄ユニット２０を送風装置本体３に収納した状態で、送風装置本体３外に露出する部分に引掛部２１ｆが設けられている。この引掛部２１ｆに指を引掛けて空気清浄ユニット２０を送風装置本体３から引き出すことができる。この引掛部２１ｆにより簡単に空気清浄ユニット２０を送風装置本体３から引き出すことができるため、清掃及びメンテナンス性が向上する。なお、引掛部２１ｆの形状は図７に示したように空気清浄ユニット２０の角部に形成した凹部とする形状に限られたものではなく、指を引掛けられる形状であればよい。
【００４７】
（構造例２）
図８は、図６の空気清浄ユニット２０の回転取り出しを説明する斜視図である。
空気清浄ユニット２０を、送風装置本体３に対して設置面と平行な方向に回転自在に送風装置本体３に連結する。連結手段は、具体的には、図８に示すように、本体枠５内に天面部３ａ及び底面部３ｂと直交する方向に延びる回転軸３ｅと空気清浄ユニット２０の端部に形成した貫通穴２１ｇとで構成される。そして、貫通穴２１ｇに回転軸３ｅが挿入されることで、空気清浄ユニット２０が回転軸３ｅを中心として回転自在となっている。この構造としたことにより、送風装置本体３の内部に収納された状態の空気清浄ユニット２０を、回転軸３ｅを中心として回転させて送風装置本体３の外部に引き出して露出させることができる。
【００４８】
以上の構造例１、構造例２に示したように、空気清浄ユニット２０は、送風装置本体３から天井又は壁等の設置面と平行な方向に引き出し自在に送風装置本体３に支持されている。これにより、送風装置１が天井等の設置面に設置されたまま、また、底面部３ｂ側に照明器４０（図３）が取り付けられたままでも、空気清浄ユニット２０を清掃及びメンテナンスすることができる。また、図８では、送風装置本体３から空気清浄ユニット２０を取り外すこと無くメンテナンスすることができ、メンテナンス性とメンテナンス時の空気清浄ユニット２０の落下等に対する安全性が向上する。
【００４９】
以下、空気清浄ユニット２０の構成について説明する。
【００５０】
図９は、図６の空気清浄ユニット２０の分解斜視図である。以下、図３〜図７を参照して空気清浄ユニット２０について説明する。
空気清浄ユニット２０の筐体は、吸込口２１ａ及び吹出口２１ｂを有する略扇形状の箱体２１と、箱体２１の吸込口２１ａに着脱自在に装着された曲面状外枠２２とを備えている。空気清浄ユニット２０の吸込口２１ａが前述の空気取入口８となっている。そして、曲面状外枠２２に埃捕集手段２３が装着されており、筐体内には、空気清浄ユニット２０を通過する空気の上流側から順に、埃捕集手段２３、空気清浄手段２４、除菌手段２５及びオゾンＶＯＣ除去手段２６が配置されている。そして、箱体２１、曲面状外枠２２、埃捕集手段２３、空気清浄手段２４、除菌手段２５及びオゾンＶＯＣ除去手段２６が一体のユニットとして構成されている。
【００５１】
以下、空気清浄ユニット２０を構成する各構成部材について順に説明する。
【００５２】
（埃捕集手段）
図１０は、図９の曲面状外枠２２に空気清浄手段２４が装着された状態を示す斜視図である。図９及び図１０を参照して曲面状外枠２２及び曲面状外枠２２に装着された埃捕集手段２３について説明する。
曲面状外枠２２は、短冊状の板材を円弧状に湾曲させた外面部２２ａと、外面部２２ａの下流側から矩形状の枠体が延びて形成された矩形収納部２２ｂとを有している。外面部２２ａの周方向の両端部には、箱体２１に形成された被係合手段（図示せず）に係合される係合手段２２ｃが設けられており、係合手段２２ｃによって曲面状外枠２２が箱体２１に対して着脱自在に装着されている。また、外面部２２ａには空気取入口８に連通する複数の開口部８ａが設けられている。矩形収納部２２ｂの下流側端面には、短手方向に対向する一対の係止片２２ｄが周方向に間隔を空けて複数設けられている。
【００５３】
埃捕集手段２３は、送風装置本体３内部に流入する空気に含まれる埃を捕集するものであり、例えば、ポリエチレンの細糸を４０〜５０メッシュ／平方インチの網目に構成したものである。これにより、０．５ｍｍ以上の埃や虫は、送風装置本体３の内部に侵入する前に埃捕集手段２３で捕捉される。
【００５４】
埃捕集手段２３は、曲面状外枠２２の形状に沿うように横断面が円弧状に形成されている。そして、埃捕集手段２３は、図９及び図６に示すように、その捕集面が外部に露出するように、外面部２２ａに、例えばインサート成形などによって一体に固定されている。埃捕集手段２３は、複数の開口部８ａを覆う大きさに形成されており、開口部８ａから流入した空気が埃捕集手段２３を通過するようになっている。
【００５５】
（埃捕集手段のメンテナンス）
埃捕集手段２３は、送風装置１の外郭側面部に配置される状態となるため、埃や小虫の捕集状態が居住エリアから視認できる。このため、室内清掃時等の日常作業の一環で、掃除機等で、埃捕集手段２３に付着した埃及び虫を清掃除去することが可能であり、室内空気を清浄する性能を維持できる。また、埃捕集手段２３は、送風装置１の外郭側面部に配置される状態となるため、空気清浄ユニット２０が送風装置本体３に収納された状態のままでも、清掃可能である。
【００５６】
また、埃捕集手段２３を曲面状外枠２２と共に箱体２１から取り外し、清掃することも可能である。このように埃捕集手段２３を曲面状外枠２２と共に箱体２１から取り外して清掃することが可能であることにより、清掃及びメンテナンス性を向上することができる。
【００５７】
（空気清浄手段）
図１１は、図９の曲面状外枠２２から空気清浄手段２４を取り外した状態を示す分解斜視図である。
空気清浄手段２４は、曲面状外枠２２の矩形収納部２２ｂ内に着脱自在に収納されており、埃捕集手段２３を通過した空気が通過する大きさに形成されている。また、空気清浄手段２４は、曲面状外枠２２を箱体２１から取り外した際に矩形収納部２２ｂから落下しないように係止片２２ｄによって取り外し自在に係止されている。空気清浄手段２４は、曲面状外枠２２と共に箱体２１から容易に取り外し可能であり、更に、図１１に示すように曲面状外枠２２からも取り外し可能である。
【００５８】
空気清浄手段２４は、吸込空気に含まれる、浮遊微粒子の除去を行う機能を有するものである。空気清浄手段２４により花粉及び埃等の１０μｍ以上の粒子が捕集される。空気清浄手段２４は例えば、セルロースに活性炭を混抄した混抄紙に人工酵素を添着した濾材を、圧損の少ない２３０メッシュ／平方インチ程のコルゲートハニカム構造に成形したもの、不織布での構成された面状濾材を折り返してプリーツ構造にしたものが用いられている。空気清浄手段２４により、室内の埃、花粉等のアレルギー物質を除去することにより、居住者の花粉症等のアレルギー症状の発生を低減することができる。
【００５９】
（空気清浄手段のメンテナンス）
上述したように、空気清浄手段２４は、曲面状外枠２２と共に箱体２１から容易に取り外し可能であり、更に、図１１に示すように曲面状外枠２２からも取り外し可能である。このため、空気清浄手段２４の清掃及びメンテナンスすることが可能であり、清掃及びメンテナンス性を向上することができる。また、空気清浄手段２４の交換も容易に行うことができる。
【００６０】
（除菌手段）
図１２は、図９の除菌手段２５を示す斜視図である。図１３は、図９の除菌手段２５の分解斜視図である。
除菌手段２５は、放電、電界空間発生装置により除菌を行う手段であり、電源部２５ａと電極部２５ｂとを備えている。電源部２５ａを有する筐体２５ｃは、電極部２５ｂの後述の電極部本体２５ｈを収納する収納部２５ｄを有している。収納部２５ｄには、収納部２５ｄに収納された電極部２５ｂ側に延びる一対の保持片２５ｅが形成されており、この一対の保持片２５ｅにより電極部２５ｂの電極部本体２５ｈが収納部２５ｄ内に着脱自在に保持されている。収納部２５ｄには、電極部２５ｂを通過した空気が通過する開口部２５ｊが設けられている。また、筐体２５ｃにはネジ穴２５ｆが設けられ、ネジ（図示せず）により空気清浄ユニット２０の箱体２１にネジ留めされている。
【００６１】
電極部２５ｂは、複数個の電極（図示せず）と、この複数個の電極に空気が通過するように形成された開口部２５ｇとを有する電極部本体２５ｈを有している。電極部本体２５ｈには、取手部２５ｉが一体に形成されており、この取手部２５ｉを掴み、埃捕集手段２３と同様に、天面部３ａと平行な方向に引き出して送風装置本体３から容易に取り出すことが可能となっている。
【００６２】
電極部２５ｂは、電極部本体２５ｈが収納部２５ｄに収納されることにより、電源部２５ａ内に配線された電源線と電気的に接続され、本体給電手段３０ｃからの電力が電源部２５ａを介して電極部本体２５ｈの複数個の電極（図示せず）に印加されるようになっている。このように複数個の電極間に所定電圧が印加されることにより、空気の除菌を行うことができる。すなわち、開口部２５ｇを通過する空気に含まれる、細菌、カビ、ウィルス等を、強電界と電流によって内部破壊させ、除去・不活性化することができる。このように除菌手段２５を設けることにより、室内空気に含まれるウィルス等の細菌を不活性化することができ、居住者同士がインフルエンザ等のウィルスに飛沫感染する確率を低減することができる。
【００６３】
電極部２５ｂにおいて除菌面となる電極部本体２５ｈの露出面は、箱体２１の底面２１ｃ（図９参照）に対して傾斜して配置されている。つまり、空気清浄ユニット２０の厚み方向（図３の上下方向）に対して傾斜して配置されている。このように配置することで、電極部本体２５ｈの露出面を、空気清浄ユニット２０の厚み方向（図３の上下方向）に沿う方向に配置する場合に比べて空気清浄ユニット２０の厚みを低減することが可能である。よって、送風装置本体３の厚み方向の寸法を低減しコンパクト化することができ、送風装置本体３の意匠性を向上することができる。
【００６４】
また、除菌手段２５を放電、電界空間発生装置とすることにより、年１回程度の清掃にて、除菌機能を継続的に得ることができる。
【００６５】
（除菌手段のメンテナンス）
除菌手段２５のメンテナンスの際には、空気清浄ユニット２０を送風装置本体３から引き出した後、空気清浄ユニット２０の曲面状外枠２２を箱体２１から取り外し、除菌手段２５の取手部２５ｉを掴んで除菌手段２５を箱体２１の外に引き出す。これにより、除菌手段２５を容易に天井下から取り出すことができ、除菌手段２５をメンテナンス及び清掃することができ、清掃、メンテナンス性が向上する。
【００６６】
また、空気清浄ユニット２０が送風装置本体３に挿入された状態、又は送風装置本体３から部分的に引き出された状態においても同様に、空気清浄ユニット２０の曲面状外枠２２を箱体２１から取り外し、除菌手段２５の取手部２５ｉを掴んで天井又は壁等の設置面と平行な方向に引き出すことができる。これにより、除菌手段２５を容易に天井下から取り出すことができ、除菌手段２５を清掃及びメンテナンスすることができ、清掃、メンテナンス性が向上する。
【００６７】
また、空気清浄ユニット２０の箱体２１の下面（照明器側の面）には、除菌手段２５の取手部２５ｉと対向する位置に切欠き２１ｄ（図９参照）が設けられている。切欠き２１ｄは箱体２１の外部から切欠き２１ｄを介して取手部２５ｉを掴むことが可能な大きさに形成されている。つまり、空気清浄ユニット２０の下面側から切欠き２１ｄを介して除菌手段２５の取手部２５ｉを掴むことが可能な構造となっている。この構造により、除菌手段２５を箱体２１から取り出すに際し、空気清浄ユニット２０の下面側から除菌手段２５の取手部２５ｉを掴むことができるため、除菌手段２５の脱着が行い易く、清掃及びメンテナンス性が向上する。
【００６８】
また、除菌手段２５では、電極部２５ｂのみが送風装置本体３から着脱可能であるため、定期的に清掃が必要となる電極部２５ｂのみを容易に取り外して清掃することが可能であり、清掃メンテナンス性が向上する。
【００６９】
（オゾンＶＯＣ除去手段）
図１４は、図９のオゾンＶＯＣ除去手段２６の取り付け状態の説明図で、空気清浄ユニット２０を吹出口２１ｂ側から見た斜視図である。図１５は、図１４の分解斜視図である。
オゾンＶＯＣ除去手段２６は、除菌手段２５から発生するオゾンを除去することができるものである。また、吸込空気に含まれる揮発性有機化合物（ＶＯＣ）を捕集することもできる。オゾンＶＯＣ除去手段２６を設けることにより、室内空気に含まれるＶＯＣを除去することができ、有効換気換算量を増加させ、その増加分の全般換気量を削減することにより暖冷房負荷を低減することができる。また、空気清浄ユニット２０内で発生したオゾンを除去することができ、人体に毒性のあるオゾンを室内に放出するのを防ぐことができる。
【００７０】
（オゾンＶＯＣ除去手段のメンテナンス）
オゾンＶＯＣ除去手段２６は、箱体２１に設けられた箱状収納部２１ｈに着脱自在に係合されており、箱状収納部２１ｈの取出開口２１ｉから、図１５に示すように引き出して取り外し、清掃及びメンテナンスすることが可能である。また、取出開口２１ｉにはオゾンＶＯＣ除去手段２６の一部、好ましくは角部を箱体２１外に露出する切欠き２１ｊが設けられており、切欠き２１ｊよりオゾンＶＯＣ除去手段２６を掴み、引き出すことが可能である。これにより、空気清浄ユニット２０を送風装置１から引き出せば、オゾンＶＯＣ除去手段２６を容易に取り外すことが可能であり、清掃及びメンテナンス性が向上する。
【００７１】
（空気清浄ユニットの動作）
以上のように構成された空気清浄ユニット２０においては、送風手段１１が駆動されると、居室１００の空気が、埃捕集手段２３、空気清浄手段２４、除菌手段２５、オゾンＶＯＣ除去手段２６の順で空気清浄ユニット２０内を通過し、清浄化される。
【００７２】
なお、空気清浄ユニット２０において空気を清浄化するための各浄化手段２３〜２６を前記のような順に配置することにより、室内空気に含まれる汚染物質の大きな物から順に上流側で除去することができる。このため、下流側に配置された除菌手段２５、オゾンＶＯＣ除去手段２６のメンテナンス回数を低減することができる。なお、空気を清浄化するための浄化手段２３〜２６の配置順は上記の順に限定するものではなく任意に選択可能であり、用途に応じて選択し空気清浄ユニット２０の空気清浄能力を選択することが可能である。また、本発明は浄化手段として各浄化手段２３〜２６の全てを備える構成に限定されず、１又は複数を組み合わせて備えた構成としてもよい。すなわち、送風装置１を使用する使用者の用途に応じて、空気清浄ユニット２０の空気清浄機能をカスタマイズすることができる。
【００７３】
次に、有効換気換算量について説明する。有効換気換算量は、揮発性有機化合物の捕集効率と送風手段１１の送風風量とに基づいて、以下の式（１）により算出される。
毎時有効換気換算量＝毎時送風風量×揮発性有機化合物捕集効率    ・・・（１）
【００７４】
式（１）における、揮発性有機化合物捕集効率は、次の式（２）で表される。
揮発性有機化合物捕集効率＝（空気清浄手段の上流の濃度Ｃ−空気清浄手段の下流の濃度Ｃｐ）÷空気清浄手段の上流の濃度Ｃ                            ・・・（２）
【００７５】
すなわち、有効換気換算量が既定の値で規制されている場合、揮発性有機化合物の捕集効率が高位となれば送風風量を減ずることができる。更に、有効換気換算量が居室１００の全般換気における必要換気量以上の値となれば、全般換気は不要となり、換気設備を設備する必要がなく、暖冷房費、機器施工費を削減することもできる。
【００７６】
すなわち、送風装置１における送風手段１１の毎時送風風量とオゾンＶＯＣ除去手段２６の揮発性有機化合物の捕集効率との積である有効換気換算量が、送風装置１が設置される居室１００の気積の５０％以上であれば、建築基準法のシックハウス対策で求められる毎時０．５回以上の居室１００全般換気量を満足することができる。
【００７７】
（送風装置の作用）
以下に、送風装置１の作用を説明する。
図４及び図５に示されるように、送風手段１１が駆動されると、空気は、空気取入口８から送風装置本体３の内部に流入し、空気清浄ユニット２０で浄化される。空気清浄ユニット２０で浄化された空気は、送風装置本体３の天面部３ａの下面とケーシング１１ｂの上面との間に形成される隙間、天面側開口部１１ｂ１、側面側開口部１１ｂ２を順に通って、空気吐出口９から送風装置本体３の外部に吹き出される。このため、特に空気吐出口９の付近における天井面１０１の汚れを低減することができる。
【００７８】
また、本実施の形態１に係る送風装置１は、図３及び図４に示されるように、一台又は複数台ずつ複数の送風単位に分けられ、送風単位毎に運転及び停止が切替可能である複数の送風手段１１を備えている。このため、小風量運転時には一部の送風単位を運転又は停止させることで、風量の増減を制御できる。このため、小風量運転時に一部の送風単位が運転を停止しても、空気吐出口９から送風装置本体３の外部に吐出される空気の速度が確保される。したがって、送風装置本体３から吐出される室内空気を部屋の隅々まで行き渡らせることにより空気の淀みを解消して汚染物質濃度を低下させ、室内の温度分布を均一化し、送風動力と暖冷房負荷を低減することができる。このように、一台又は複数台の送風単位で動作可能な複数の送風手段１１を備えているため、室内環境の悪化が抑制される。
【００７９】
また、本実施の形態１に係る送風装置１は、図１及び図２に示されるように、天井から吊り下げられた照明器４０の天井側に連結される。つまり、照明器４０は通常、居室１００のほぼ中央に設けられるため、送風装置１も、居室１００のほぼ中央の天井付近に設けられることになる。このため、空気取入口８及び空気吐出口９から流入出する空気は、循環流路１０７で流通し、天井面１０１、壁面１０８、床面１０９に沿って居室１００全体の空気を循環させる。よって、冬季において、居住者に気流感を感じさせることなく、部屋全体の空気循環により空気質、温熱環境の不均一を抑制できる。
【００８０】
更に、壁面１０８に形成された給気口１０２からの外気流入、及び、窓面１０４の伝熱に起因する室内空気のコールドドラフトも天井面１０１近傍の暖気を壁面１０８、給気口１０２、窓面１０４に沿わせて流通させることで軽減することができ、肌寒さ感や結露の発生を抑制できる。
【００８１】
（効果）
以上のように、本発明の実施の形態１に係る送風装置１は、送風装置本体３の側面には空気取入口８及び空気吐出口９が形成され、ケーシング１１ｂには、ケーシング１１ｂの内部に空気を取り入れるための天面側開口部１１ｂ１及びケーシング１１ｂの内部から空気を吐き出すための側面側開口部１１ｂ２が形成される。そして、ケーシング１１ｂは、天面側開口部１１ｂ１が送風装置本体３の天面部３ａの下面に対向し、側面側開口部１１ｂ２が空気吐出口９に対向するように、送風装置本体３の底面部３ｂの上面に設けられ、送風装置本体３の天面部３ａの下面とケーシング１１ｂの上面との間には、隙間が形成される。このため、モータ１１ｃで羽根１１ａが駆動されると、空気は、空気取入口８から送風装置本体３の内部に取り入れられ、送風装置本体３の天面部３ａの下面とケーシング１１ｂの上面との間に形成される隙間、天面側開口部１１ｂ１、側面側開口部１１ｂ２を順に通って、空気吐出口９から送風装置本体３の外部に吹き出される。したがって、特に空気吐出口９の付近における天井面１０１の汚れを低減することができる。本発明の実施の形態１に係る送風装置１は、デザインの制約で送風装置本体３をなるべく高さの低い円柱形状として構成する場合に特に有効である。
【００８２】
また、上述した風路構造とする場合、送風手段１１は輻流型の送風機であり、送風手段１１は、モータ１１ｃの軸が円形平面に対して垂直向きになるように送風装置本体３に設置されるため、羽根１１ａの羽根径を大きくでき、送風性能上有効である。
【００８３】
また、居室１００からの排気と居室１００への給気を常時（２４時間）機能させる全般換気の省エネルギー化を行う。そして、送風装置１は、一台又は複数台ずつ複数の送風単位に分けられ、送風単位毎に運転及び停止が切替可能である複数の送風手段１１を備えている。このため、上述したように、全般換気における小風量換気時において、送風装置本体３内部から吐出された空気を部屋の隅々まで行き渡らせることにより空気の淀みを解消し、汚染物質濃度を低下させ、室内の温度分布を均一化し、送風動力と暖冷房負荷を低減することができる。
【００８４】
また、空気清浄ユニット２０が、送風装置本体３から平行な方向に引き出し自在に送風装置本体３に支持される構造としたため、空気清浄ユニット２０を送風装置本体３から引き出す際に、送風装置１及び照明器４０を天井面１０１から取り外す必要がない。このため、空気清浄ユニット２０を容易にメンテナンスすることができ、清掃及びメンテナンス性が向上する。
【００８５】
また、空気清浄ユニット２０を、連結手段（回転軸３ｅ、貫通穴２１ｇ）により設置面と平行な方向に回動自在に送風装置本体３に連結するようにしたので、空気清浄ユニット２０を回転させて送風装置本体３の外部に引き出して内部を露わにし、清掃及びメンテナンスすることができる。また、空気清浄ユニット２０を送風装置本体３から取り外さずに連結したままメンテナンスすることができるため、メンテナンス性とメンテナンス時の空気清浄ユニット２０の落下等に対する安全性とが向上する。
【００８６】
また、空気清浄ユニット２０及び送風装置本体３に、空気清浄ユニット２０が送風装置本体３に収納された状態で互いに係合して固定する係合手段（突起３ｄ、嵌合穴２１ｅ）を設けたので、送風装置本体３に振動等が発生した場合でも空気清浄ユニット２０が送風装置本体３から外れることがないようにすることができる。
【００８７】
また、空気清浄ユニット２０に、空気清浄ユニット２０を送風装置本体３内に収納した状態で送風装置本体３外から指を引掛けられる引掛部２１ｆを設けたので、清掃及びメンテナンスの際に引掛部２１ｆに指を引掛けて空気清浄ユニット２０を引き出すことができる。よって、容易にメンテナンスを行うことができ、清掃及びメンテナンス性が向上する。
【００８８】
また、空気清浄ユニット２０に、空気取入口８から取り入れられた空気に含まれる埃を捕集する埃捕集手段２３を設けたので、室内空気の埃を捕集し、清浄化することができる。
【００８９】
また、空気清浄ユニット２０に、空気取入口８から取り入れられた空気に含まれる浮遊微粒子を捕集する空気清浄手段２４を設けたので、室内の埃、花粉等のアレルギー物質を除去することができる。このため、居住者の花粉症等のアレルギー症状の発生を低減することができる。
【００９０】
また、空気清浄ユニット２０に、空気の除菌を行う除菌手段２５を設けたので、室内空気に含まれるウィルス等の細菌を不活性化することができ、居住者同士がインフルエンザ等のウィルスに飛沫感染する確率を低減することができる。
【００９１】
また、空気清浄ユニット２０に、オゾン除去と揮発性有機化合物の捕集とを行うオゾンＶＯＣ除去手段２６を設けたので、室内空気に含まれるＶＯＣを除去することができ、有効換気換算量を増加させ、その増加分の全般換気量を削減することにより送風動力と暖冷房負荷を低減することができる。よって、省エネルギー化を図ることができる。また、空気清浄ユニット２０内で発生したオゾンを除去することができ、人体に毒性のあるオゾンを室内に放出するのを防ぐことができる。また、建物改修時のシックハウス対策を容易に行うことができる。
【００９２】
また、空気清浄ユニット２０に、埃捕集手段２３、空気清浄手段２４、除菌手段２５及びオゾンＶＯＣ除去手段２６のうちの複数を備えることにより、送風装置１を使用する使用者の用途に応じて空気清浄機能をカスタマイズした空気清浄ユニット２０を構成できる。
【００９３】
また、空気取入口８から取り入れられた空気の上流側から順に埃捕集手段２３、空気清浄手段２４、除菌手段２５及びオゾンＶＯＣ除去手段２６を備えたので、室内空気に含まれる汚染物質の大きな物から順に上流側で除去することができる。このため、下流側に配置された除菌手段２５、オゾンＶＯＣ除去手段２６のメンテナンス回数を低減することができる。
【００９４】
また、埃捕集手段２３は、その捕集面が外部に露出するように空気清浄ユニット２０の曲面状外枠２２に固定されているので、清掃メンテナンス時には、曲面状外枠２２が空気清浄ユニット２０の箱体２１に設置された状態のまま、埃捕集手段２３を清掃できる。又は、埃捕集手段２３を曲面状外枠２２と共に空気清浄ユニット２０の箱体２１から取り外して清掃することもできる。これにより、埃捕集手段２３の清掃及びメンテナンス性を向上することができる。
【００９５】
また、空気清浄手段２４は、曲面状外枠２２に設けられた矩形収納部２２ｂに着脱自在に収納されているので、清掃メンテナンス時には、曲面状外枠２２と共に容易に取り外して清掃することが可能であり、清掃及びメンテナンス性を向上することができる。
【００９６】
また、除菌手段２５の除菌面となる電極部２５ｂを有する電極部本体２５ｈが、送風装置本体３に着脱自在に保持されており、送風装置本体３から設置面と平行な方向に引き出し自在であるので、以下の効果を有する。すなわち、清掃及びメンテナンス時には送風装置本体３の設置面と平行な方向に電極部２５ｂを取り出して、清掃及びメンテナンスすることが可能である。これにより、空気清浄ユニット２０が送風装置本体３に挿入された状態、もしくは部分的に引き出された状態であっても、送風装置本体３側面から電極部２５ｂを取り外し、メンテナンスすることが可能であり、清掃及びメンテナンス性が向上する。
【００９７】
また、除菌手段２５は、その除菌面となる電極部本体２５ｈの露出面が、空気清浄ユニット２０の厚み方向に対して傾斜するように空気清浄ユニット２０に配置されているので、空気清浄ユニット２０の厚みを低減することが可能である。よって、送風装置１の厚み方向の寸法を低減することができ、コンパクト化が可能で、送風装置１の意匠性を向上することができる。
【００９８】
また、除菌手段２５を放電、電界空間発生装置とすることにより、１回／年程度の清掃にて、除菌機能を継続的に得ることができる。
【００９９】
また、放電、電界空間発生装置を電源部２５ａ、電極部２５ｂを備えた構成とし、電極部２５ｂのみが箱体２１から着脱可能としたので、定期的に清掃が必要となる電極部２５ｂのみを容易に取り外して清掃することが可能であり、清掃メンテナンス性が向上する。
【０１００】
また、除菌手段２５は取手部２５ｉを有し、空気清浄ユニット２０の箱体２１において照明器４０側の面には取手部２５ｉと対向して切欠き２１ｄが設けられており、切欠き２１ｄは、箱体２１から切欠き２１ｄを介して取手部２５ｉを掴むことが可能な大きさに形成されている。このため、空気清浄ユニット２０の外部から（図９では下面側から）除菌手段２５の取手部２５ｉを掴み、箱体２１外へ取り外すことが可能である。よって、除菌手段２５の脱着が行い易く、清掃及びメンテナンス性が向上する。
【０１０１】
また、オゾンＶＯＣ除去手段２６は空気清浄ユニット２０に着脱自在に収納されている。このため、空気清浄ユニット２０から取り外し、清掃及びメンテナンスすることが可能である。よって、空気清浄ユニット２０を送風装置本体３から引き出せば、オゾンＶＯＣ除去手段２６を容易に取り外すことが可能であり、オゾンＶＯＣ除去手段２６の清掃及びメンテナンス性が向上する。
【０１０２】
また、空気清浄ユニット２０の箱体２１は、オゾンＶＯＣ除去手段２６の一部を箱体２１外に露出する切欠き２１ｊを有していることにより、この切欠き２１ｊを介して箱体２１外部からオゾンＶＯＣ除去手段２６を掴むことができる。特に、図１５に示すようにオゾンＶＯＣ除去手段２６の角部を箱体２１外に露出するように切欠き２１ｊを設けた場合、箱体２１外部からオゾンＶＯＣ除去手段２６を容易に掴むことができる。このようにすることで、オゾンＶＯＣ除去手段２６を掴んで箱体２１外に取り外すことができるため、オゾンＶＯＣ除去手段２６の清掃及びメンテナンス性を向上することができる。
【０１０３】
また、本実施の形態１に係る送風装置１は、必要な送風量を実現するにあたり１つの送風手段１１で実現するのではなく、複数の送風手段１１で実現するようにしている。このため、１つの送風手段とする場合に比べて複数の送風手段１１のそれぞれのサイズを小さく構成することができ、送風装置本体３を薄型化することができる。
【０１０４】
また、本実施の形態１に係る送風装置１は、空気清浄ユニット２０が、送風装置本体３の本体側面３ｃのほぼ半分の面積を占めて多面に亘って配設される構成となっている。このため、空気流通面積が大きくなり、吸込流速が低減される。したがって、空気吐出口９から送風装置１の外部に吐出された空気が直接、空気取入口８に吸い込まれるショートサーキットの発生が抑制され、送風手段１１にかかる圧力損失が抑制され、送風手段１１の消費電力が低減される。また、オゾンＶＯＣ除去手段２６における揮発性有機化合物の捕集効率は、流通速度が低いほど高位になる傾向があるため、本実施の形態１のように、吸込流速が低減された場合には捕集効率が高位となる。
【０１０５】
また、本実施の形態１に係る送風装置１は、送風手段１１が、羽根１１ａ、ケーシング１１ｂ、及びモータ１１ｃで構成された複数個の輻流型の送風機を備えている。このため、回転体の振動を微小に抑制して分散させることができる。したがって、送風装置１の振動による騒音の発生が抑制され、送風装置１の下面に取り付けられた照明器４０のチラツキ等の不具合を抑制でき、室内空間の視聴覚環境を改善することができる。
【０１０６】
また、本実施の形態１に係る送風装置１は、送風装置１及び照明器４０に給電を行うための電源ユニット３０が内筒７内に配設されている。内筒７内は、空気吐出口９から吐出された空気が循環して空気取入口８から送風装置１の内部に流入する風路から隔絶されている。よって、この内筒７に電源ユニット３０を配設することにより、室内を流通する空気に含まれる微細な塵や湿気が、電源ユニット３０の電装部品（受電手段３０ａ、取付給電手段３０ｂ）の充電部に堆積して電源のトラッキングやショートなどの不具合を起こすことが抑制される。このため、送風装置１の安全が確保されると共に送風装置１及び照明器４０の取付工事が容易になる。
【０１０７】
また、本実施の形態１に係る送風装置１は、上述したように送風装置本体３が薄型化されるため、送風装置１の下面に設けられる照明器４０が室内へ突出することも抑制される。したがって、室内空間の視覚環境を改善することができる。
【０１０８】
また、本実施の形態１に係る居室１００は、内部で送風装置１が運転されるため、居室１００内の空気に含まれる汚染物質が除かれ、汚染物質が除かれた空気が循環する。
【０１０９】
また、本実施の形態１に係る居室１００は、送風装置１の運転により汚染物質が除去されるため、有効換気換算量を増加させることができ、その増加分の全般換気量を低減することができる。また、有効換気換算量が居室１００の全般換気における必要換気量以上の値となれば、全般換気装置による全般換気は不要となるため、送風装置１を運転させるだけでよい。送風装置１のみ運転させる場合には、全般換気設備を設置する必要がないため、暖冷房費、機器施工費を削減することができる。
【符号の説明】
【０１１０】
１  送風装置、３  送風装置本体、３ａ  天面部、３ａ１  取付穴、３ｂ  底面部、３ｃ  本体側面、３ｄ  突起、３ｅ  回転軸、３ｆｂ，３ｆｃ  ネジボス、５  本体枠、７  内筒、８  空気取入口、８ａ  開口部、９  空気吐出口、１０  内部風路、１１  送風手段、１１ａ  羽根、１１ｂ  ケーシング、１１ｂ１  天面側開口部、１１ｂ２  側面側開口部、１１ｂ３  ケーシング取付部、１１ｃ  モータ、１１ｃ１  モータシャフト、１１ｃ３  モータ取付部、１３  風向調節手段、１６  ネジ、２０  空気清浄ユニット、２１  箱体、２１ａ  吸込口、２１ｂ  吹出口、２１ｃ  底面、２１ｄ  切欠き、２１ｅ  嵌合穴、２１ｆ  引掛部、２１ｇ  貫通穴、２１ｈ  箱状収納部、２１ｉ  取出開口、２１ｊ  切欠き、２２  曲面状外枠、２２ａ  外面部、２２ｂ  矩形収納部、２２ｃ  係合手段、２２ｄ  係止片、２３  埃捕集手段、２４  空気清浄手段、２５  除菌手段、２５ａ  電源部、２５ｂ  電極部、２５ｃ  筐体、２５ｄ  収納部、２５ｅ  保持片、２５ｆ  ネジ穴、２５ｇ  開口部、２５ｈ  電極部本体、２５ｉ  取手部、２５ｊ  開口部、２６  オゾンＶＯＣ除去手段、３０  電源ユニット、３０ａ  受電手段、３０ｂ  取付給電手段、３０ｃ  本体給電手段、３０ｄ  ユニット本体、４０  照明器、４０ａ  照明部材、５０  取付手段、５０ａ  取付金具、６０  シーリングローゼット、１００  居室、１０１  天井面、１０２  給気口、１０３  排気口、１０４  窓面、１０５  屋外、１０６  他室、１０７  循環流路、１０８  壁面、１０９  床面。
【図１】
2014185590.tif 000003
【図２】
2014185590.tif 000004
【図３】
2014185590.tif 000005
【図４】
2014185590.tif 000006
【図５】
2014185590.tif 000007
【図６】
2014185590.tif 000008
【図７】
2014185590.tif 000009
【図８】
2014185590.tif 000010
【図９】
2014185590.tif 000011
【図１０】
2014185590.tif 000012
【図１１】
2014185590.tif 000013
【図１２】
2014185590.tif 000014
【図１３】
2014185590.tif 000015
【図１４】
2014185590.tif 000016
【図１５】
2014185590.tif 000017